(57)【要約】【課題】簡易な機構でありながら、ドアノブの操作により効率良く発電することのできるドアノブ式発電機を提供する。【解決手段】取手部１１を操作した際に取手部１１が回動することによって、その内部に設けられている筒部２１の傾きが合わせて変化する。すると、筒部２１の一方の端部にとどまっている状態の磁石部２１が他方の端部に向かって移動する際に、磁石部２２とコイル部２３との間で生じる電磁誘導によって発電することができる。さらに、信号送信部４４は、その電磁誘導によって生じた電力により、図示しない外部の信号受信部等に対して、取手部が操作された（ドア本体が開閉された）ことを示す情報等を送信することができる。【選択図】図１
2013124514.tif 000002
【特許請求の範囲】
【請求項１】
回動軸部を中心にして回動する長手形状の取手部を回動させることによって、ドアのラッチ部をラッチ収容穴部に出し入れするドアノブ機構部を備えるとともに、
前記取手部の内部に、水平方向に対して傾きをもって配置される筒部と、
前記筒部の内側に設けられるとともに、一対の互いに異なる極を有する磁石部と、
当該筒部の側面にコイルが巻かれているコイル部と、
を備え、
前記取手部が回動することによって前記筒部の傾きが変化することで、前記筒部の一方の端部にとどまっている状態の前記磁石部が他方の端部に向かって移動する際に、前記磁石部と前記コイル部との間で生じる電磁誘導によって発電することを特徴とするドアノブ式発電機。
【請求項２】
水平方向に対して傾きをもって配置される筒部と、
前記筒部の内側に設けられるとともに、一対の互いに異なる極を有する磁石部と、
当該筒部の側面にコイルが巻かれているコイル部と、
回動軸部を中心にして回動する取手部が回動することによって、ドアのラッチ部をラッチ収容穴部に出し入れするドアノブ機構部の当該取手部に、前記筒部を長手形状の取手部として装着するための装着部と、
を備え、
前記取手部が回動することによって前記筒部の傾きが変化することで、前記筒部の一方の端部にとどまっている状態の前記磁石部が他方の端部に向かって移動する際に、前記磁石部と前記コイル部との間で生じる電磁誘導によって発電することを特徴とするドアノブ式発電機。
【請求項３】
前記筒部の一方の端部または両方の端部の周辺に、前記筒部の傾きが所定の傾きになるまで前記筒部の一方の端部に前記磁石部を一時的に固定しておくためのトラップ部を備えること特徴とする請求項１または２に記載のドアノブ式発電機。
【請求項４】
前記筒部の一方の端部または両方の端部の周辺に、前記磁石部による磁気を検知する磁気検知部を備えるとともに、
前記磁気検知部により前記磁石部による磁気が検知されたとき、前記電磁誘導によって生じた電力により、ドアノブの操作が行われたことを示す情報を送信する信号送信部を備えることを特徴とする請求項１〜３のいずれか１項に記載のドアノブ式発電機。
【請求項５】
前記磁石部は、互いに異なる一対の極を複数組有する多極磁石であることを特徴とする請求項１〜４のいずれか１項に記載のドアノブ式発電機。
【請求項６】
前記磁石部は、球状の磁石であることを特徴とする請求項１〜５のいずれか１項に記載のドアノブ式発電機。
【請求項７】
前記電磁誘導によって発電された電気を整流する整流回路部を備えることを特徴とする請求項１〜６のいずれか１項に記載のドアノブ式発電機。
【請求項８】
蓄電素子を備えるとともに、前記電磁誘導によって生じた電力を前記蓄電素子に一時的に蓄えておくための制御を行う充電コントローラ部を備え、
前記信号送信部は、前記電磁誘導により電力が生じていないときにも、前記充電コントローラ部の前記蓄電素子から供給される電力により、所定の情報を所定の時間間隔で送信することを特徴とする請求項４〜７のいずれか１項に記載の振動式発電機。
【発明の詳細な説明】
【技術分野】
【０００１】
本発明は、ドアノブ式発電機に関し、特にドアノブの操作によって発電するドアノブ式発電機に関する。
【背景技術】
【０００２】
近年、従来のエネルギに代わる新しいエネルギとして、太陽光や風力のエネルギを用いた発電が注目されている。また、これにとどまらず、人が歩行する際の振動や、街中を飛び交う電磁波などの身の回りのエネルギから発電するエネルギハーベスティング技術も注目を浴びている。
例えば、下記の特許文献１の自己発電型個人認証システムも、エネルギハーベスティング技術を用いた一つである。この自己発電型個人認証システムにおいては、自己発電型個人認証装置の利用者がドアノブ等を操作したときに発生する回転エネルギにより、発電機の軸を回転させることで発電を行うものである。このシステムは、蓄電器を用いており、発電された電力を蓄電しておき、その電力によって認証処理を行うことができるようになっている。
【先行技術文献】
【特許文献】
【０００３】
【特許文献１】特開２０１１−１９０５７２号公報
【発明の概要】
【発明が解決しようとする課題】
【０００４】
しかしながら、上記の自己発電型個人認証システムにあっては、ドアノブ等を操作したときに発生する回転エネルギを発電機の軸に伝えるための機構として、幾つかの歯車や伝達軸を要することから、その機構内部の構造が複雑であった。
そこで、本発明は、上記の課題に鑑み、簡易な機構でありながら、ドアノブの操作により効率良く発電することのできるドアノブ式発電機を提供することを目的とする。
【課題を解決するための手段】
【０００５】
本発明によるドアノブ式発電機は、上記の目的を達成するために、次のように構成される。
本発明のある態様によるドアノブ式発電機は、回動軸部を中心にして回動する長手形状の取手部を回動させることによって、ドアのラッチ部をラッチ収容穴部に出し入れするドアノブ機構部を備えるとともに、前記取手部の内部に、水平方向に対して傾きをもって配置される筒部と、前記筒部の内側に設けられるとともに、一対の互いに異なる極を有する磁石部と、当該筒部の側面にコイルが巻かれているコイル部と、を備え、前記取手部が回動することによって前記筒部の傾きが変化することで、前記筒部の一方の端部にとどまっている状態の前記磁石部が他方の端部に向かって移動する際に、前記磁石部と前記コイル部との間で生じる電磁誘導によって発電することを特徴とする。
【０００６】
上記のドアノブ式発電機によれば、取手部の回動によってその内部に設けられている筒部の傾きが変化すると、筒部の一方の端部にとどまっている状態の磁石部が他方の端部に向かって移動する。この際に、磁石部とコイル部との間で生じる電磁誘導によって効率良く発電することが可能となる。
本発明のある態様によるドアノブ式発電機は、水平方向に対して傾きをもって配置される筒部と、前記筒部の内側に設けられるとともに、一対の互いに異なる極を有する磁石部と、当該筒部の側面にコイルが巻かれているコイル部と、回動軸部を中心にして回動する取手部が回動することによって、ドアのラッチ部をラッチ収容穴部に出し入れするドアノブ機構部の当該取手部に、前記筒部を長手形状の取手部として装着するための装着部と、を備え、前記取手部が回動することによって前記筒部の傾きが変化することで、前記筒部の一方の端部にとどまっている状態の前記磁石部が他方の端部に向かって移動する際に、前記磁石部と前記コイル部との間で生じる電磁誘導によって発電することを特徴とする。
【０００７】
上記のドアノブ式発電機によれば、装着部が、ドア本体の丸型形状の取手部に装着されるようになっている。つまり、丸型形状等の取手部に対して装着することが可能な長手方向の取手部を有するアタッチメント型になっている。また、取手部の回動によってその内部に設けられている筒部の傾きが変化すると、筒部の一方の端部にとどまっている状態の磁石部が他方の端部に向かって移動するようになっている。
【０００８】
このため、例えば既存建物のドア設備にも用いることができるとともに、磁石部とコイル部との間で生じる電磁誘導によって発電することが可能となる。
本発明のある態様によるドアノブ式発電機は、前記筒部の一方の端部または両方の端部の周辺に、前記筒部の傾きが所定の傾きになるまで前記筒部の一方の端部に前記磁石部を一時的に固定しておくためのトラップ部を備えること特徴とする。
【０００９】
上記のドアノブ式発電機によれば、トラップ部が、筒部の一方の端部または両方の端部に磁石部を一時的に固定しておく。このようトラップ部を設けておくことで、取手部が操作されて、筒部の傾きが所定の傾きになるまで、筒部の一方の端部または両方の端部の側面に磁石部を一時的に固定しておくことができる。さらに、筒部の傾きが所定の傾きになった際には、筒部の一方の端部にとどまっていた磁石部を他方の端部に向かって、トラップ部がないときによりも高速に移動させることができる。つまり、磁石部とコイル部との間で生じる電磁誘導による発電の効率を高めることが可能となる。
【００１０】
本発明のある態様によるドアノブ式発電機は、前記筒部の一方の端部または両方の端部の周辺に、前記磁石部による磁気を検知する磁気検知部を備えるとともに、前記磁気検知部により前記磁石部による磁気が検知されたとき、前記電磁誘導によって生じた電力により、ドアノブの操作が行われたことを示す情報を送信する信号送信部を備えることを特徴とする。
【００１１】
上記のドアノブ式発電機によれば、信号送信部が、電磁誘導によって生じた電力を用いて、外部の信号受信部等に対して、ドアノブの操作が行われたことを示す情報を送信する。この情報を活用することで、主に、ドアの開閉後に必要となるドア内側の照明の点滅や、空調の起動停止、監視カメラの動作などを制御することが可能となる。また、受信機の信号を電動ラッチのドアの開閉指示、電動ドアの開閉にも応用することが可能となる。また、一例として、高齢者の方が日常どおりの生活を送っていること等（在宅状況や安否確認等）を確認することも可能となる。
【００１２】
本発明のある態様によるドアノブ式発電機は、前記磁石部は、互いに異なる一対の極を複数組有する多極磁石であることを特徴とする。
上記のドアノブ式発電機によれば、磁石部が、Ｎ極とＳ極との組数を多くすることにより、磁石部による磁界をなるべく変化させて、磁石部とコイル部との間で生じる電磁誘導によって効率良く発電することが可能となる。
【００１３】
本発明のある態様によるドアノブ式発電機は、前記磁石部は、球状の磁石であることを特徴とする。
上記のドアノブ式発電機によれば、磁石部は球状であるため、筒部の一方の端部にとどまっていた磁石部が他方の端部に向かって一気に移動し始める際に、磁石部が回転しながら転がるようになっている。要するに、コイル部からみて、磁石部による磁界が変化するようになり、磁石部とコイル部との間で生じる電磁誘導によって効率良く発電することが可能となる。
【００１４】
本発明のある態様によるドアノブ式発電機は、前記電磁誘導によって発電された電気を整流する整流回路部を備えることを特徴とする。
上記のドアノブ式発電機によれば、整流回路部が、上記で説明した電磁誘導によって発電された電力を交流から直流に変換する。これにより、電磁誘導によって発電された電力を、信号送信部等を駆動するための電力として供給することが可能となる。
【００１５】
本発明のある態様によるドアノブ式発電機は、蓄電素子を備えるとともに、前記電磁誘導によって生じた電力を前記蓄電素子に一時的に蓄えておくための制御を行う充電コントローラ部を備え、前記信号送信部は、前記電磁誘導により電力が生じていないときにも、前記充電コントローラ部の前記蓄電素子から供給される電力により、所定の情報を所定の時間間隔で送信することを特徴とする。
【００１６】
上記のドアノブ式発電機によれば、充電コントローラ部が、蓄電素子等を有して、整流回路部によって整流された電力を信号送信部に供給する前に蓄電するための制御を行う。充電コントローラ部を用いることにより、例えば、ドアノブ操作による筒部が振動が微小であるときに発電されたときの小さい電力を一時的に蓄積しておいたり、ドアノブ操作により筒部が振動した後、全くドアノブ操作により筒部が振動しない状態が続いている場合であっても、信号送信部は、充電コントローラ部の蓄電素子から供給される電力により、所定の情報を所定の時間間隔で送信（例えば、ドアノブ操作により筒部が最後に振動した後（ドア開閉後）、３時間毎に１ｍｓだけ信号を送信）したりすることが可能となる。
【００１７】
つまり、充電コントローラ部が微小な電力をためておいて、その電力を少しずつ使うことと、ドアノブ操作により筒部が振動しないときにも信号送信部が信号を定期的に送信し続けることとが可能となる。
【発明の効果】
【００１８】
本発明のドアノブ式発電機によれば、取手部の回動によってその内部に設けられている筒部の傾きが変化することで、筒部の一方の端部にとどまっている状態の磁石部が他方の端部に向かって移動する際に、磁石部とコイル部との間で生じる電磁誘導によって効率良く発電することができる。
さらに、本発明のドアノブ式発電機によれば、信号送信部が、電磁誘導によって生じた電力により、外部の信号受信部等に対して、取手部が操作された（ドア本体が開閉された）ことを示す情報等を送信することもできる。この情報を受け取った側では、主に、ドアの開閉後に必要となるドア内側の照明の点滅や、空調の起動停止、監視カメラの動作などを制御することができる。また、受信機の信号を電動ラッチのドアの開閉指示、電動ドアの開閉にも応用することができる。また、一例として、高齢者の方が日常どおりの生活を送っていること等を確認することもできる。
【００１９】
また、本発明のドアノブ式発電機によれば、既存の形状の取手部に対して装着することが可能な長手方向の取手部を有するアタッチメント型とすれば、例えば既存建物のドア設備にも用いることができるとともに、磁石部とコイル部との間で生じる電磁誘導によって発電することもできる。
【図面の簡単な説明】
【００２０】
【図１】第１実施形態に係るドアノブ式発電機１０の外部構造を示す要部拡大図である。
【図２】第１実施形態に係るドアノブ式発電機１０の取手部１１の内部構造を示す要部拡大図である。
【図３】２極磁石である磁石部２２と、４極磁石である磁石部２２´との構造を示す断面図である。
【図４】第１実施形態に係るドアノブ式発電機１０の内部回路４０の回路構成を示すブロック図である。
【図５】変形例に係るドアノブ式発電機５０の取手部５１の内部構造を示す要部拡大図である。
【図６】変形例に係るドアノブ式発電機７０の取手部７１の内部構造を示す要部拡大図である。
【図７】第２実施形態に係るドアノブ式発電機８０の取手部８１の外部構造を示す要部拡大図である。
【発明を実施するための形態】
【００２１】
以下に、添付した図面を参照しながら、本発明のドアノブ式発電機の好適な実施形態を詳細に説明する。
（第１実施形態）
（ドアノブ式発電機１０の外部構造）
まず、図１を参照して、本発明のドアノブ式発電機を適用した第１実施形態に係るドアノブ式発電機１０の外部構造を説明する。
【００２２】
図１は、第１実施形態に係るドアノブ式発電機１０の外部構造を示す要部拡大図である。図１に示すドアノブ式発電機１０は、一般的なドアノブ機構部と同様に、取手部１１と、ラッチ部１２とから構成されるレバーハンドル型のドアノブ機構部として、ドア本体部１３に取り付けられている。
また、図示しないがドア本体部１３の矢印Ａで示す側の反対側にも、取手部１１と同様の取手部が取り付けられており、両側からドア本体部１３を開閉することができるようになっている。
【００２３】
取手部１１は、長手形状であって、ドア本体部１３を開閉しようとする人が掴んで操作する部分である。取手部１１を何も操作していない状態では、図示するように取手部１１は略水平の状態である。しかしながら、取手部１１を矢印Ｂで示す方向に押し下げることによって、ドア本体部１３に内蔵されている回動機構部の回動軸部１４を中心にして取手部１１が回動して、建物のドア枠側に取り付けられているラッチ収容穴部１５にラッチ部１２を出し入れすることができるようになっている。
【００２４】
ラッチ部１２は、ドア本体部１３が閉まっている状態（取手部１１を何も操作していない状態）のときには、ラッチ収容穴部１５に収容されている。つまり、ドア本体部１３は開かないようになっている。一方、取手部１１を図中に矢印Ｂで示す方向に押し下げることによりラッチ収容穴部１５からラッチ部１２が出されることによって、ドア本体部１３を開けることができるようになっている。
【００２５】
さらに、本実施形態に係るドアノブ式発電機１０においては、上記で説明したドア本体部１３を開閉するための一般的な機構に加えて、取手部１１の内部に、発電するために必要な機構が内蔵されている。具体的に、取手部１１の内部に、筒部２１と、磁石部２２と、コイル部２３と、整流回路部４１と、充電コントローラ部４２と、信号送信部４４とが内蔵されている。
【００２６】
筒部２１は、取手部１１の内部に設けられている。筒部２１の長手方向の中心線Ｘは、取手部１１の長手方向の中心線Ｙと一致していない。このため、取手部１１をドア本体部１３に取り付けた状態では、取手部１１は水平であっても、筒部２１は水平方向に対して傾きをもって配置される。また、磁石部２２は、互いに異なる一対の極を有する永久磁石であって、筒部２１の内側に設けられている。また、コイル部２３は、その筒部２１の側面にコイルが巻かれている部分である。
【００２７】
整流回路部４１は、上記で説明した電磁誘導によって発電された電力を交流から直流に変換する。これにより、電磁誘導によって発電された電力を、信号送信部４４を駆動するための電力として供給することができる。
充電コントローラ部４２は、蓄電素子４３を有しており、整流回路部４１によって整流された電力を信号送信部４４に直接供給せずに、蓄電素子４３に一時的に蓄電するための制御を行う。必ずしも充電コントローラ部４２を必要としないが、充電コントローラ部４２を用いることにより、例えば、ドア開閉操作による筒部２１の振動が微小であるときに発電されたときの小さい電力を一時的に蓄積しておいたり、筒部２１が振動した後、全く筒部２１が振動しない状態が続いている場合であっても、後述する信号送信部４４は、充電コントローラ部４２の蓄電素子４３から供給される電力により、所定の情報を所定の時間間隔（例えば、筒部２１が最後に振動した後（ドア開閉後）、３時間毎）で送信したりすることができるようになる。
【００２８】
つまり、充電コントローラ部４２が微小な電力をためておいて、その電力を少しずつ使うことと、ドア開閉操作による筒部２１が振動しないときにも信号送信部４５が信号を定期的に送信し続けることとができる。
信号送信部４４は、図示しない信号受信部等に対して、電磁誘導によって生じた電力により、例えば取手部１１が操作された（ドア本体部１３が開閉された）ということを示す情報を送信する。なお、信号送信部４４は、筒部２１の両端部の周辺に、磁石部２２による磁気を検知する磁気検知部４５ａ，４５ｂを有している。なお、この磁気検知部は、筒部２１の一方のみの周辺に設けるだけでも良い。このため、磁気検知部４５ａ，４５ｂが、筒部２１の内側を移動している磁石部２２による磁気を検知したとき、信号送信部４４は、充電コントローラ部４２の蓄電素子４３に蓄電されている電力を用いて上記の情報を送信する。なお、図示しないが、信号受信部等に対して情報を送信するためのアンテナを内蔵している。勿論、アンテナは、外部アンテナとして、取手部１１の外部に露出していても良い。
【００２９】
（取手部１１の内部構造）
続いて、図２を参照して、第１実施形態に係るドアノブ式発電機１０の取手部１１の内部構造を説明する。
図２は、第１実施形態に係るドアノブ式発電機１０の取手部１１の内部構造を示す要部拡大図である。図２に示すように、筒部２１は、取手部１１の内部に、水平方向に対して傾きをもって配置されている。すなわち、取手部１１の回動軸部１４に近い側の端部が、取手部１１の回動軸部１４から遠い側の端部より下方に位置している。このため、取手部１１が何も操作されていない状態のときには、磁石部２２は、筒部２１の回動軸部１４に近い側の端部にとどまっている。
【００３０】
ところが、取手部１１が矢印Ｂで示す方向に押し下げると、取手部１１の傾きの変化に合わせて筒部２１の傾きも変化する。すると、筒部２１の一方の端部にとどまっていた磁石部２２が、他方の端部に向かって（矢印Ｃで示す方向に）一気に移動し始める。
上記で説明したように、図示するように筒部２１の側面にはコイル部２３が設けられている。このため、磁石部２２が一方の端部から他方の端部に向かって一気に移動する際に、磁石部２２とコイル部２３との間で生じる電磁誘導によって発電することができる。なお、コイル部２３のコイルの巻き方や巻数、配置位置、配置数等については、効率良く発電するために適宜選択することができる。
【００３１】
（磁石部２２の構造）
続いて、図３を参照して、磁石部２２の構造を説明する。
図３は、２極磁石である磁石部２２と、４極磁石である磁石部２２´との構造を示す断面図である。図３に示す２極磁石である磁石部２２は、Ｎ極とＳ極との２極を１組有する多極磁石である。また、４極磁石である磁石部２２´は、Ｎ極とＳ極との２極を２組有する多極磁石である。
本実施形態に係るドアノブ式発電機１０にあっては、磁石部２２を用いている。図３に示す磁石部２２の断面部を参照するとわかるように、磁石部２２にあっては、Ｎ極とＳ極との異なる２極を有している。また、磁石部２２は球状であるため、筒部２１の一方の端部にとどまっていた磁石部２２が他方の端部に向かって一気に移動し始めると、磁石部２２が回転しながら転がる。要するに、コイル部２３からみて、磁石部２６による磁界が変化することになり、磁石部２２とコイル部２３との間で生じる電磁誘導によって効率良く発電することができる。
【００３２】
なお、磁石部２２´のようにＮ極とＳ極との組数を多くすることにより、磁石部２２´による磁界をなるべく多く変化させて、磁石部２２´とコイル部２３との間で生じる電磁誘導によって効率良く発電することができる。さらには、磁石部２２を８極磁石等としても良い。
また、磁石部２２は、ネオジムや鉄等を成分とするネオジム磁石（永久磁石）である。このため、磁石部２２が、筒部２１の一方の端部から他方の端部に向かって一気に移動していくのを繰り返していくうち、その表面が欠けてしまうのを防止する必要がある。そこで、磁石部２２は、樹脂やゴム等のコーティングやニッケルメッキ等による表面加工が施されている。また、このような表面加工が施されることによって、磁石部２２の表面に、見栄えの良い銀色の光沢感を出すこともできる。
【００３３】
（ドアノブ式発電機１０の内部回路４０の構成）
続いて、図４を参照して、第１実施形態に係るドアノブ式発電機１０の内部回路４０の回路構成を説明する。
図４は、第１実施形態に係るドアノブ式発電機１０の内部回路４０の回路構成を示すブロック図である。図４に示すドアノブ式発電機１０の内部回路４０は、上述したように、取手部１１が操作されることにより取手部１１が回動すると、筒部２１の傾きが変化する。すると、一方の端部にとどまっていた磁石部２２が、他方の端部に向かって一気に移動し始める。筒部２１の側面にはコイル部２３が設けられているため、磁石部２２が、一方の端部から他方の端部に向かって一気に移動する際に、磁石部２２とコイル部２３との間で生じる電磁誘導によって発電することができる。すなわち、コイル部２３に電流が流れる。
【００３４】
その電磁誘導によって発電された電力は、整流回路部４１で整流された後に、蓄電素子４３に蓄電されて、さらに信号送信部４４に供給される。つまり、信号送信部４４の電源は、電池等から供給される電力ではなく、電磁誘導によって発電された電力である。
なお、上記で説明した第１実施形態に係るドアノブ式発電機１０の取手部１１は、何も操作されていない状態のときに長手方向が水平方向であり、その内部の筒部２１が、水平方向（取手部１１の長手方向）に対して傾きをもって配置されているものであった。しかしながら、取手部１１自体が、その長手方向に対して傾きをもっているものであってもよい。
【００３５】
（第１実施形態の変形例）
（取手部５１の内部構造）
そこで、図５を参照して、第１実施形態に係るドアノブ式発電機１０の変形例として、その変形例に係るドアノブ式発電機５０の取手部５１の内部構造を説明する。
図５は、変形例に係るドアノブ式発電機５０の取手部５１の内部構造を示す要部拡大図である。図５に示すように、変形例に係るドアノブ式発電機５０の取手部５１は、取手部５１自体が、その長手方向に対して傾きをもっている。このような場合には、筒部２１の長手方向の中心線Ｚは、取手部１１の長手方向の中心線と一致していても良い。
取手部５１が操作されていない状態のときには、筒部２１は、水平方向に対して傾きをもって配置されている状態と同じである。このような状態のときには、当然ながら、磁石部２２は、筒部２１の一方の端部にとどまっていることができる。
【００３６】
そして、第１実施形態に係るドアノブ式発電機１０の取手部１１と同様に、取手部１１を矢印Ｄで示す方向に押し下げると、取手部１１の傾きの変化に合わせて筒部２１の傾きも変化する。すると、筒部２１の一方の端部にとどまっていた磁石部２２が、他方の端部に向かって（矢印Ｅで示す方向に）一気に移動し始める。
そして、筒部２１の側面には、筒部１１と全く同じようにコイル部２３が設けられているため、磁石部６１が一方の端部から他方の端部に向かって一気に移動する際に、磁石部６１とコイル部２３との間で生じる電磁誘導によって発電することができる。
【００３７】
なお、筒部２１の傾きが変化することで、一方の端部にとどまっていた磁石部２２が他方の端部に向かって一気に移動さえすれば、磁石部６１の形状は、磁石部２２のように球状に限らない。例えば、図５を参照してわかるように、円柱形状の磁石部６１を用いることもできる。同時に、筒部２１の形状にあっても、円柱形状や直方体形状等のように制限されない。
【００３８】
さらに、ドアノブ式発電機５０にあっては、筒部２１の両方の端部の底面に、鉄等の磁性体または磁石であるトラップ部６２ａ，６２ｂが設けられている。なお、トラップ部は、筒部２１の一方のみの端部の底面に設けるだけでも良い。このようなトラップ部６２ａ，６２ｂを設けておくことで、取手部５１が操作されて、筒部２１の傾きが所定の傾きになるまで、筒部２１の一方または両方の端部に磁石部６１を一時的に固定しておくことができる。さらに、筒部２１の傾きが所定の傾きになった際には、筒部２１の一方または両方の端部にとどまっていた磁石部２２を他方の端部に向かって（矢印Ｅで示す方向に）、トラップ部６２ａ，６２ｂがないときによりも高速に移動させることができる。つまり、磁石部２２とコイル部２３との間で生じる電磁誘導による発電の効率を高めることができる。
【００３９】
また、上記のトラップ部６２ａ，６２ｂは、取手部５１が操作されて、筒部２１の傾きが所定の傾きになるまで、筒部２１の一方または両方の端部に磁石部を一時的に固定しておければ良いため、トラップ部６２ａ，６２ｂは磁石に限らない。図６は、図５に示したドアノブ式発電機５０とは別の変形例として、その変形例に係るドアノブ式発電機７０の取手部７１の内部構造を示す要部拡大図である。ドアノブ式発電機７０は、一例ではあるが、筒部２１の両方の端部の内側面に設けられた凸部（または凹部）であるトラップ部７２ａ，７２ｂを有している。なお、トラップ部にあっても、筒部２１の一方のみの端部の底面に設けるだけでも良い。これにより、磁石であるトラップ部６２ａ，６２ｂと同様に、筒部２１の傾きが所定の傾きになるまで、筒部２１の一方または両方の端部に磁石部６１を一時的に固定しておくことができる。
【００４０】
上記で説明した磁石であるトラップ部６２ａ，６２ｂや、凸部であるトラップ部７２ａ，７２ｂは、筒部２１の一方または両方の端部の周辺に設けられていれば良いため、勿論、図１及び図２に示した第１実施形態に係るドアノブ式発電機１０にも同様のトラップ部を設けることもできる。
【００４１】
（第２実施形態）
上記で説明した第１実施形態に係るドアノブ式発電機１０にあっては、ドア本体部１３に取り付けられるレバーハンドル型のドアノブ機構部の取手部１１の内部に、電磁誘導により発電するための必要な各要部が内蔵されているものであった。しかしながら、これ以外にも、丸型形状の取手部に対して装着することが可能なアタッチメント型のドアノブの取手部の内部に、発電に必要な各要部を内蔵させて、これをドアノブ式発電機とすることもできる。
【００４２】
（ドアノブ式発電機８０の外部構造及び発電方法）
そこで、最後に、図７を参照して、本発明のドアノブ式発電機を適用した第２実施形態に係るドアノブ式発電機８０の外部構造及び発電方法を説明する。
図７は、第２実施形態に係るドアノブ式発電機８０の取手部８１の外部構造を示す要部拡大図である。図７に示すドアノブ式発電機８０の取手部８１は、図１に示した第１実施形態に係るドアノブ式発電機１０の取手部１１に相当する。そして、取手部８１には、取手部１１に内蔵されていた筒部２１と、磁石部２２と、コイル部２３と、整流回路部４１と、充電コントローラ部４２と、信号送信部４４とが内蔵されている。それらの各部の形状や機能等についても実質同じである。なお、各要部にあっては、形状や機能等が同じであるため、図７にはそれらを図示せず省略する。
【００４３】
さらに、ドアノブ式発電機８０は、ドア本体部１３の丸型形状の取手部９１に、ドアノブ式発電機８０自体を装着するための装着部８２を有している。そのドアノブ式発電機８０の装着部８２を、矢印Ｆで示す方向でそのまま取手部９１に装着させる。なお、取手部９１にドアノブ式発電機８０を装着させた際に、取手部８１を矢印Ｇで示す方向に押し下げ易くするように、装着部８２の取手部９１と接触する表面部分には滑り止め加工等が施されている。
【００４４】
そして、ドアノブ式発電機８０においても、発電方法は、ドアノブ式発電機１０と全く同様である。図示しない筒部は、取手部１１の内部に、水平方向に対して傾きをもって配置されている。このため、取手部１１が何も操作されていない状態のときには、図示しない磁石部は、筒部の一方の端部にとどまっている。
ところが、取手部１１が矢印Ｇで示す方向に押し下げると、取手部１１の傾きに合わせて筒部の傾きも変化する。すると、筒部の一方の端部にとどまっていた磁石部が、他方の端部に向かって一気に移動し始める。
【００４５】
筒部の側面にはコイル部が設けられているため、磁石部が一方の端部から他方の端部に向かって一気に移動する際には、磁石部とコイル部との間で生じる電磁誘導によって発電することができる。
このように、ドアノブ式発電機８０にあっては、丸型形状の取手部に対して装着することが可能な長手方向の取手部を有するアタッチメント型になっている。このようなアタッチメント型であれば、例えば既存建物のドア設備にもドアノブ式発電機を用いることができるとともに、磁石部とコイル部との間で生じる電磁誘導によって発電することもできる。
【００４６】
（各実施形態に係るドアノブ式発電機のまとめ）
上記の各実施形態に係るドアノブ式発電機においては、ドアノブを操作することで取手部が回動して、筒部の傾きが変化する。すると、一方の端部にとどまっている状態の磁石部が他方の端部に向かって移動する際に、磁石部とコイル部との間で生じる電磁誘導によって発電することができる。ドアノブ式発電機は、その電磁誘導によって生じた電力によって、図示しない外部の信号受信部等に対して、取手部が操作された（ドア本体が開閉された）ことを示す情報等を送信する。このように、信号送信部は、外部の信号受信部等に対して、電磁誘導によって生じた電力により所定の情報を送信する。そして、この情報を受け取った側では、この情報に基づいてドア周辺機器の制御や各種の確認等を行うことができる。
【００４７】
信号送信部から送信された情報を活用することで、主に、ドアの開閉後に必要となるドア内側の照明の点滅や、空調の起動停止、監視カメラの動作などを制御することができる。また、受信機の信号を電動ラッチのドアの開閉指示、電動ドアの開閉にも応用することができる。また、一例として、高齢者の方が日常どおりの生活を送っていること等を確認することもできる。
【産業上の利用可能性】
【００４８】
本発明に係るドアノブ式発電機は、取手部の回動によってその内部に設けられている筒部の傾きが変化することで、筒部の一方の端部にとどまっている状態の磁石部が他方の端部に向かって移動する際に、磁石部とコイル部との間で生じる電磁誘導によって発電することのできるドアノブ式発電機として利用することができる。
【符号の説明】
【００４９】
１１……取手部
１２……ラッチ部
１３……ドア本体部
１４……回動軸部
１５……ラッチ収容穴部
２１……筒部
２２……磁石部
２３……コイル部
４１……整流回路部
４２……充電コントローラ部
４３……蓄電素子
４４……信号送信部
【図１】
2013124514.tif 000003
【図２】
2013124514.tif 000004
【図３】
2013124514.tif 000005
【図４】
2013124514.tif 000006
【図５】
2013124514.tif 000007
【図６】
2013124514.tif 000008
【図７】
2013124514.tif 000009